(57)【要約】【課題】重量のある遊技盤が取り付けられた内枠を隣接する遊技盤と衝突しないようにスムーズに前方に引き出して回動させることができる遊技機を提供する。【解決手段】遊技盤１が取り付けられた内枠２と、その外周に位置する外枠３とを備えた遊技機である。内枠２と外枠３の間に中間枠５を設け、中間枠５の一端を第１ヒンジ６により外枠３の片側に枢着し、中間枠５の他端を第２ヒンジ７により内枠２の反対側に枢着する。これによって、遊技盤１を内枠２とともに外枠３の前方に移動可能とした。外枠３と中間枠５との間に、中間枠５の回動角度を規制するストッパーを設けることもできる。【選択図】図５
2019130026.tif 000002
【特許請求の範囲】
【請求項１】
遊技盤が取り付けられた内枠と、この内枠の外周に位置する外枠とを備えた遊技機であって、内枠と外枠の間に中間枠を設け、中間枠の一端を第１ヒンジにより外枠の片側に枢着し、中間枠の他端を第２ヒンジにより内枠の反対側に枢着することによって、遊技盤とともに内枠を外枠の前方に移動可能としたことを特徴とする遊技機。
【請求項２】
中間枠の一端を外枠の片右側に枢着し、中間枠の他端を内枠の左側に枢着したことを特徴とする請求項１に記載の遊技機。
【請求項３】
外枠と中間枠との間に、中間枠の回動角度を規制するストッパーを設けたことを特徴とする請求項１に記載の遊技機。
【請求項４】
内枠または遊技盤と中間枠との間に、ロック機構を設けたことを特徴とする請求項１に記載の遊技機。
【発明の詳細な説明】
【技術分野】
【０００１】
本発明は、パチンコ機などの遊技機に関するものである。
【背景技術】
【０００２】
パチンコ機などの遊技機は、遊技盤が取り付けられた内枠と、この内枠の外周に位置する外枠とを備えたものである。外枠はホールの島と呼ばれる構造体に固定されており、内枠はその一端がヒンジによって外枠に枢着されている。この構造により、ロックを解除すれば、遊技盤が取り付けられた内枠をヒンジを中心として回動させながら手前側に引き出し、遊技盤のメンテナンスをすることができるようになっている。
【０００３】
ところが近年、遊技盤の意匠部材が次第に大型化するとともに、内枠も大型化して遊技者側に張り出すように前方に突出させる傾向にある。このため、遊技盤が取り付けられた内枠を手前側に回動させたときに、遊技盤や内枠の装飾部材が隣接する遊技盤の装飾部材などに衝突する危険がある。このため、回動角度を十分に取ることができず、遊技盤のメンテナンスが行いにくくなるという問題があった。
【０００４】
この問題を解決するために、特許文献１に示されるように、外枠のヒンジを手前側にスライド可能とし、回動中心となる軸を手前側に移動させることによって、隣接する遊技盤との干渉を避けつつ遊技盤が取り付けられた内枠を回動させる構造が提案されている。
【０００５】
この特許文献１の遊技機は、ヒンジを手前側に引き出すための案内部材を上下に備えている。しかし遊技盤及び内枠が重いため、上下の軸が同軸上にあるように保ったまま遊技盤が取り付けられた内枠を手前に引き出すことは容易ではない。このため、上下の軸の位置がずれたままで内枠を回動させ、こじれてヒンジ部分を損傷させてしまう可能性があった。
【先行技術文献】
【特許文献】
【０００６】
【特許文献１】特開平１０−４３３９８号公報
【発明の概要】
【発明が解決しようとする課題】
【０００７】
従って本発明の目的は上記した従来の問題点を解決し、重量のある遊技盤が取り付けられた内枠を隣接する遊技盤と衝突しないようにスムーズに前方に引き出して回動させることができる遊技機を提供することである。
【課題を解決するための手段】
【０００８】
上記の課題を解決するためになされた本発明は、遊技盤が取り付けられた内枠と、この内枠の外周に位置する外枠とを備えた遊技機であって、内枠と外枠の間に中間枠を設け、中間枠の一端を第１ヒンジにより外枠の片側に枢着し、中間枠の他端を第２ヒンジにより内枠の反対側に枢着することによって、遊技盤とともに内枠を外枠の前方に移動可能としたことを特徴とするものである。
【０００９】
なお請求項２のように、中間枠の一端を外枠の片右側に枢着し、中間枠の他端を内枠の左側に枢着した構造とすることが好ましい。また請求項３のように、外枠と中間枠との間に、中間枠の回動角度を規制するストッパーを設けることが好ましく、請求項４のように、内枠または遊技盤と中間枠との間に、ロック機構を設けることが好ましい。
【発明の効果】
【００１０】
本発明の遊技機は、内枠と外枠の間に中間枠を設け、中間枠の一端を外枠の片側に枢着し、中間枠の他端を内枠の反対側に枢着することにより、内枠と遊技盤とを外枠の前方に移動可能としたものであり、水平に引き出すのではなく、中間枠の両端を軸として回動させながら引き出す構造である。このため、重量のある遊技盤が取り付けられた内枠をこじることなくスムーズに前方に引き出して回動させることができる。しかも本発明の遊技機は、回動の中心軸が左右の２ヶ所にあるため、隣接する遊技盤との干渉を避けつつ遊技盤が取り付けられた内枠を前方に引き出して回動させ、メンテナンス等を行うことができる。
【００１１】
また請求項３、４の構成とすれば、まず中間枠を右隣の遊技機と干渉しない位置まで第１ヒンジを中心として回動させた上で、中間枠に対する内枠または遊技盤のロックを外し、遊技盤を第２ヒンジを中心として回動させることができる。これによって隣接する遊技機同士の衝突を確実に防止することができる。
【図面の簡単な説明】
【００１２】
【図１】実施形態の遊技機の基本状態を示す斜視図である。
【図２】実施形態の遊技機の基本状態を示す平面図である。
【図３】実施形態の遊技機の引出し途中の状態を示す斜視図である。
【図４】実施形態の遊技機の引出し途中の状態を示す平面図である。
【図５】実施形態の遊技機の引出し完了状態を示す斜視図である。
【図６】実施形態の遊技機の引出し完了状態を示す平面図である。
【図７】他の実施形態を示す斜視図である。
【図８】図７の要部拡大図である。
【発明を実施するための形態】
【００１３】
以下に本発明の実施形態を示す。
図１は本発明の遊技機の基本状態を示す斜視図、図２はその平面図である。これらの図において、１はパチンコ機などの遊技盤、２はこの遊技盤１が取り付けられた内枠、３は外枠である。遊技盤１は従来と同様に右下部に発射装置４を備えており、遊技盤１は外枠３から遊技者側、すなわち前方に大きく張り出した形状となっている。内枠２は遊技盤１の重心付近を囲むように設けられており、内枠２と遊技盤１とは実質的に一体化している。また外枠３は、従来と同様にホールの島と呼ばれる構造体（図示せず）に固定されるものである。
【００１４】
従来一般の遊技機は、上記の内枠２の左端を外枠３にヒンジで枢着していたのであるが、本発明の遊技機は図５、図６に示すように、内枠２と外枠３の間に中間枠５を設けてある。中間枠５は強度と剛性に優れた鋼材などの材質からなることが好ましく、重量のある遊技盤１を支える際の撓みを抑制するため、補強用のリブを設けておくことができる。
【００１５】
中間枠５の一端は第１ヒンジ６によって外枠３の片側に枢着され、中間枠５の他端は第２ヒンジ７によって内枠２の反対側に枢着されている。この実施形態では、第１ヒンジ６は外枠３の右側、第２ヒンジ７は内枠２の左側に位置している。しかし第１ヒンジ６と第２ヒンジ７の位置を左右逆にすることも可能である。これらの第１ヒンジ６と第２ヒンジ７は上下で対をなすように、設けられている。
【００１６】
なお、基本状態では内枠２と中間枠５が図１、図２の位置に保持されるように、第１ヒンジ６と内枠２の右端部との間にはロック機構が設けられ、また第２ヒンジ７と外枠３の左端部との間にもロック機構が設けられている。これらのロック機構としては、例えばばね力を利用して、ロックピンを相手側の孔に差し込む構造とすることができる。
【００１７】
このように構成された本発明の遊技機は、図１の状態から第２ヒンジ７側のロック機構を解除すれば、図３、図４に示すように内枠２と遊技盤１を、右側の第１ヒンジ６を中心として手前側に回動させることができる。図３、図４の状態においてはこの回動角度を大きくすると、遊技盤１の右角部が外枠３の右端よりも右側に大きく突出し、隣接する遊技機に衝突することとなるため、大きく回動させることはできない。
【００１８】
しかし第１ヒンジ６側のロック機構も解除すれば、図５、図６に示すように中間枠５を左側の第２ヒンジ７を中心として回動させることができ、その結果、内枠２と遊技盤１を手前側に移動させることができる。このように両側に第１ヒンジ６と第２ヒンジ７を備えた中間枠５を内枠２と外枠３との間に介在させることにより、遊技盤１を外枠３の側方に大きく突出させることなく、前方に移動させることができる。
【００１９】
このため、隣接する遊技機と干渉するおそれなく遊技盤１と内枠２を前方に引き出すことができ、メンテナンスを行うことができる。しかも特許文献１の構造のように水平に引き出すのではなく、左右のヒンジを中心として回動させる構造であるので、重量のある遊技盤１と内枠２をスムーズに引き出すことができる。
【００２０】
図７と図８は、本発明の他の実施形態を示す図である。この実施形態では、外枠３と中間枠５との間に、中間枠５の回動角度を規制するストッパー８が設けられている。図８に示すように、外枠３に円弧溝板９が取り付けられており、中間枠５から突出させたピン１０がこの円弧溝に嵌っている。円弧溝の曲率中心は、第１ヒンジ６のヒンジピンの位置である。外枠３にはピン１０が進入できる孔１１が形成されている。また内枠２または遊技盤１と中間枠５との間に、ロックピンなどからなるロック機構（図示せず）を設けておくものとする。
【００２１】
まず中間枠５を第１ヒンジ６を中心として外枠３から手前側に回動させるが、ストッパー８によりその回動角度は右隣の遊技盤と干渉することのない角度に制限される。これによって、隣接する遊技機同士の衝突を確実に防止することができる。次にロック機構を解除して、遊技盤１を第２ヒンジ７を中心として中間枠５から手前に引き出す。なおストッパー８の構造はこの実施形態に限定されるものではなく、チェーンなどの他の部材を用いても差し支えない。
【００２２】
以上に説明したように、本発明によれば、重量のある遊技盤１が取り付けられた内枠２をこじることなくスムーズに前方に引き出して回動させることができ、また隣接する遊技機との干渉を避けつつ遊技盤１及び内枠２を前方に引き出して回動させることができる利点がある。
【符号の説明】
【００２３】
１  遊技盤
２  内枠
３  外枠
４  発射装置
５  中間枠
６  第１ヒンジ
７  第２ヒンジ
８  ストッパー
９  円弧溝板
１０  ピン
１１  孔
【図１】
2019130026.tif 000003
【図２】
2019130026.tif 000004
【図３】
2019130026.tif 000005
【図４】
2019130026.tif 000006
【図５】
2019130026.tif 000007
【図６】
2019130026.tif 000008
【図７】
2019130026.tif 000009
【図８】
2019130026.tif 000010